(57)【要約】【目的】  超音波と赤外線の送信器を備えたペンと、超音波と赤外線を受信し筆跡位置データを測量し、ペン描画された筆跡位置データをパーソナルコンピュータに送出する手書き筆跡入力装置で、ペンの電源のスイッチング方法に関する。【構成】  キャップと筆記用のリフィルを内蔵する軸と、超音波と赤外線の送信器を備えた電子ペンであって、前記キャップの内面にスイッチ押し部を設け、前記軸側にスイッチ押し部と相対する位置に、スイッチ押し部に押圧されることにより、電源のＯＮ、ＯＦＦを行う電源スイッチを設けた電子ペン。【選択図】図１
2006011984.tif 000002
【特許請求の範囲】
【請求項１】
キャップと筆記用のリフィルを内蔵する軸と、超音波と赤外線の送信器を備えた電子ペンであって、前記キャップの内面にスイッチ押し部を設け、前記軸側にスイッチ押し部と相対する位置に、スイッチ押し部に押圧されることにより、電源のＯＮ、ＯＦＦを行う電源スイッチを設けたことを特徴とする電子ペン。
【請求項２】
前記電源スイッチは、プッシュＯＦＦスイッチであることを特徴とする請求項１記載の電子ペン。
【発明の詳細な説明】
【技術分野】
【０００１】
本発明は、超音波発信器と赤外線発信器とを備えた筆記可能な電子ペンと、該電子ペンにより発せられる超音波と赤外線とを受信して前記電子ペンの筆跡位置を計測し、座標データとして生成する受信装置からなる筆跡入力装置に使用する電子ペンに関する。
【背景技術】
【０００２】
従来、超音波と赤外線を発信する発信器を備えた筆記ペンと、筆記ペンから発信される超音波信号と赤外線とを、受信する複数の受信器を組み込んだ受信装置を有する手書き筆跡入力装置が開発されている。この手書き筆跡入力装置は、普通用紙上に筆記ペンで筆記すると受信装置が筆記ペンから発信された超音波信号と赤外線とを複数の受信器により受信し、筆記ペンの位置座標を計測し座標位置を検出する。前記座標位置データを連続的に検出することにより、書いた文字や図形等を手書き筆跡データとして認識する従来技術が知られている。
【０００３】
【特許文献１】特開２０００−２９８５４７号公報。
【発明の開示】
【発明が解決しようとする課題】
【０００４】
しかしながら上記従来の手書き筆跡入力装置に用いられる筆記ペンは、使用者が筆記入力を行なわない場合でもバッテリーを消費しているという問題がある。それは使用者がいつ筆記するかが解らない為、電源は絶えず入ったまま、筆記入力を待っている状態を保持する必要があり、バッテリーを絶えず消費してしまっているからである。バッテリーの電力消費を減らす為に、筆記ペンは待機あるいはスリープの状態に入り、電力消費を抑えるようにしている例もあるが、この場合、電力消費は確かに抑えられているが、バッテリー自体の電力を消費していない訳ではない。電源のスイッチを付けることでバッテリーを消費しないようにすることもできるが、使用するたびに電源の入り切りを行わなければならず、そのため電源のスイッチを付けることで節電した場合の課題として、電源スイッチを入れ忘れてしまうことにより電源が切れたままで筆記してしまい、筆記ペンから発信される超音波信号と赤外線信号が発信されないため筆記データが未入力となることや、電源スイッチの切り忘れによるバッテリーの消耗が起こることがあげられる。
【課題を解決するための手段】
【０００５】
キャップと筆記用のリフィルを内蔵する軸と、超音波と赤外線の送信器を備えた電子ペンであって、前記キャップの内面にスイッチ押し部を設け、前記軸側にスイッチ押し部と相対する位置に、スイッチ押し部に押圧されることにより、電源のＯＮ、ＯＦＦを行う電源スイッチを設けた電子ペンを第１の要旨とするものであり、前記電源スイッチは、プッシュＯＦＦスイッチである電子ぺンを第２の要旨とするものである。
【発明の効果】
【０００６】
使用者は筆記ペンの使用が終わり、筆記ペンにキャップをするという窮めて普通の行為を行うことで、スイッチを自ら操作して電源を切るという行為を意識しないまま電源を切ることができる。キャップをするという窮めて普通の行為により電源を切ることができるので電源スイッチの切り忘れが起こることはなく、電源スイッチの切り忘れによる無駄な電力を消費しない。さらに筆記ペンを使用する場合には、使用者がキャップを外すだけで電源スイッチが入るので、電源スイッチの入れ忘れが起こることはなくなり、筆記ペンから発信される超音波信号と赤外線データが出力されない事による手書き筆跡入力忘れも起こらない。電源スイッチは筆記入力時の使用時状態を除いてキャップされていれば電源スイッチは切れているのでバッテリーの消耗がない。
【発明を実施するための最良の形態】
【０００７】
筆記データ表示を行うパーソナルコンピュータ上の表示プログラムを用意し、当該プログラムで用紙に印刷された手書き入力枠の中心座標を予め記憶し、実際の手書き入力された筆跡座標の中心座標を求め、座標のずれ量を計算し、ずれに相当する値を補正量とし、他の入力座標値に加算し座標ずれを相殺し筆跡データを表示させる。
超音波発信器と赤外線発信器とを備えた筆記可能な電子ペンと、該電子ペンにより発せられる超音波と赤外線とを受信して該電子ペンの筆跡位置を計測し、座標データとして生成する受信装置からなる筆跡入力装置に使用する電子ペンに関する。
【０００８】
図１、２は、本発明を適用した筆記ペン１を示したものである。筆記ペン１は先金部材２と前軸３、後軸４から構成されている。先金部材２には、スイッチ棒５が摺動自在に設けられている。先金部材２は、前軸３に対し位置決めが行える様に凸部６が設けられており、前軸３にはこの凸部６と係合する凹部７が設けられている。参照符号８は、プッシュＯＦＦスイッチであり、凹部９により位置決めされている。プッシュＯＦＦスイッチ８には回路基盤（図示せず）が、取り付けられており、電源のスイッチング動作を行うものである。先金部材２と前軸３は、係合により抜止めされていても良いが、接着により抜け止めされていても良い。前軸３と後軸４は、嵌合により抜け止めされている。先金部材２の内部には、超音波発信器と赤外線発信器（共に、図示せず。）が設けられている。また、先金部材２の先端部分には、超音波を発信するために、複数のスリット１０が設けられている。後軸４には、複数の電源電池１１を装填した電池ホルダー１２が設けられており、電源電池１１の密着性を高める為に、スプリング等（図示せず）の押圧部材が設けられている。この電池ホルダー１２は後軸４に圧入または、接着により固定されているが、後軸４に電池ホルダー１２が一体に成形されていても良い。
電池ホルダー１２と、後端キャップ１３は螺合により着脱自在に取り付けられている。参照符号１４は中軸で回路基板を搭載するものであり、中軸１４の内部には、筆記体１５が設けられている。参照符号１６は係合突起であり、先金部材２を前軸３に組付ける場合に、前軸３の内壁に係合するものである。
【０００９】
次に、図３、図４を参照してキャップ１７の勘合と、プッシュＯＦＦスイッチ８の動作について説明する。
参照符号１７はキャップであり、前軸３側に設けられた筆記体１５に充填された筆記用インキ（図示せず）の乾燥を避けるものである。
参照符号８は上記したプッシュＯＦＦスイッチであり、キャップ１７内部の段部１８がスイッチ棒５の端面１９に当接し、キャップ１７の動きにあわせてスイッチ棒５が摺動し、スイッチ伸び部２０が押し下げられることにより、スイッチがＯＦＦの状態となり電子ペン１の電源がＯＦＦとなるものである。（図３を参照。）
反対に、キャップ２を軸３から外すことにより、プッシュスイッチ７のスイッチ伸び部１０は伸び筆記ペン１の電源はＯＮの状態となる。
また、プッシュスイッチ７は、回路基盤（図示せず）に接続されており、プッシュスイッチ７のスイッチ伸び部１０が伸縮することによりスイッチング動作が発生し、筆記ペン１の電源ＯＮ、ＯＦＦを認識する。
【００１０】
図４は電子ペン１を使用するためキャップ１７を外した状態の図である。この時、プッシュＯＦＦスイッチ８はキャップ１７によって、押されていない状態である。電子ペン１の電源は上記したようにプッシュＯＦＦスイッチ８を使用することで、電源が入っている状態を表している。これは筆記ペン１のキャップ２を外したことで、ペン先カバー５内のスイッチ棒５が自由になっているため、前軸３内に設置されたプッシュＯＦＦスイッチ８のスイッチ伸び部２０が、伸びきった状態となっており、このプッシュＯＦＦタイプのスイッチ７は押されていないのでON状態となるため筆記ペン１の電源は入っている。
【図面の簡単な説明】
【００１１】
【図１】本発明の電子ペンの斜視図
【図２】本発明の電子ペンの斜視図
【図３】要部断面図
【図４】要部断面図
【符号の説明】
【００１２】
１    電子ペン
２    先金部材
３    前軸
４    後軸
５    スイッチ棒
６    凸部
７    凹部
８    プッシュＯＦＦスイッチ
９    凹部
１０  複数のスリット
１１  電源電池
１２  電池ホルダー
１３  後端キャップ
１４  中軸
１５  筆記体
１６  係合突起
１７  キャップ
１８  キャップ１７の段部
１９  スイッチ棒５の端面
２０  スイッチ伸び部
【図１】
2006011984.tif 000003
【図２】
2006011984.tif 000004
【図３】
2006011984.tif 000005
【図４】
2006011984.tif 000006